(57)【特許請求の範囲】
【請求項１】
スイッチ装置を備えるスイッチ装置システムであって、
前記スイッチ装置は、
ＯＮまたはＯＦＦ操作されるスイッチ操作部と、
前記スイッチ操作部がＯＮ側にあるか、ＯＦＦ側にあるかを検知する検知部と、
前記スイッチ操作部をＯＦＦからＯＮに操作するのと同時に、１回路以上の第１の電気接点をＯＮ状態に形成する第１機構と、
前記スイッチ操作部を、ＯＮからＯＦＦに操作すると、前記スイッチ操作部はＯＦＦ側になる一方、１回路以上の前記第１の電気接点はＯＮ状態を維持し、前記第１の電気接点のＯＮからＯＦＦへの変更は、電気信号のＯＦＦ→ＯＮ→ＯＦＦによって行う第２機構と、を備え、
制御開始時に、前記第１の電気接点がＯＮ状態であること、および、前記スイッチ操作部がＯＦＦ側にあることを検知した場合は、異常状態であることを使用者に通知する第１の手段を備えること、
を特徴とするスイッチ装置システム。
【請求項２】
スイッチ装置を備えるスイッチ装置システムであって、
前記スイッチ装置は、
ＯＮまたはＯＦＦ操作されるスイッチ操作部と、
前記スイッチ操作部がＯＮ側にあるか、ＯＦＦ側にあるかを検知する検知部と、
前記スイッチ操作部をＯＦＦからＯＮに操作するのと同時に、１回路以上の第１の電気接点をＯＮ状態に形成する第１機構と、
前記スイッチ操作部を、ＯＮからＯＦＦに操作すると、前記スイッチ操作部はＯＦＦ側になる一方、１回路以上の前記第１の電気接点はＯＮ状態を維持し、前記第１の電気接点のＯＮからＯＦＦへの変更は、電気信号のＯＦＦ→ＯＮ→ＯＦＦによって行う第２機構と、を備え、
制御開始時に、前記第１の電気接点がＯＮ状態であること、および、前記スイッチ操作部がＯＦＦ側にあることを検知した場合は、異常状態であること示す情報を表示装置に表示する第１の手段を備えること、
を特徴とするスイッチ装置システム。
【請求項３】
前記スイッチ操作部がＯＮ側に位置し、かつ前記第１の電気接点がＯＮ状態の場合に、前記スイッチ装置に入力される電気信号のＯＦＦ→ＯＮ→ＯＦＦによって、前記第１の電気接点をＯＮからＯＦＦに変更するとともに、前記スイッチ操作部をＯＮ側からＯＦＦ側へ変更する第３機構をさらに備えること、
を特徴とする請求項１または２に記載のスイッチ装置システム。
【請求項４】
前記スイッチ操作部をＯＮ側にして正常状態に戻す指示を表す情報を表示装置に表示することにより、前記スイッチ操作部をＯＮ側にして正常状態に戻す指示を使用者に通知する第２の手段をさらに備えること、
を特徴とする請求項１〜請求項３のいずれか１つに記載のスイッチ装置システム。
【請求項５】
スイッチ装置を備えるスイッチ装置システムであって、
前記スイッチ装置は、
ＯＮまたはＯＦＦ操作されるスイッチ操作部と、
前記スイッチ操作部がＯＮ側にあるか、ＯＦＦ側にあるかを検知する検知部と、
前記スイッチ操作部をＯＦＦからＯＮに操作するのと同時に、１回路以上の第１の電気接点をＯＮ状態に形成する第１機構と、
前記スイッチ操作部を、ＯＮからＯＦＦに操作すると、前記スイッチ操作部はＯＦＦ側になる一方、１回路以上の前記第１の電気接点はＯＮ状態を維持し、前記第１の電気接点のＯＮからＯＦＦへの変更は、電気信号のＯＦＦ→ＯＮ→ＯＦＦによって行う第２機構と、を備え、
制御開始時に、前記第１の電気接点がＯＮ状態であること、および、前記スイッチ操作部がＯＦＦ側にあることを検知した場合、異常状態であることを使用者に通知せずに使用者が前記スイッチ操作部をＯＮ側に操作するまで待機する第１の手段を備えること、
を特徴とするスイッチ装置システム。
【請求項６】
前記スイッチ操作部がＯＮ側に位置し、かつ前記第１の電気接点がＯＮ状態の場合に、前記スイッチ装置に入力される電気信号のＯＦＦ→ＯＮ→ＯＦＦによって、前記第１の電気接点をＯＮからＯＦＦに変更するとともに、前記スイッチ操作部をＯＮ側からＯＦＦ側へ変更する第３機構をさらに備えること、
を特徴とする請求項５に記載のスイッチ装置システム。
【請求項７】
請求項１〜請求項６のいずれか一つに記載のスイッチ装置システムを備えた、画像形成装置、電気機器、医療機器、工作機械、自動車、輸送機器、および、スイッチ装置機器のいずれかである機器。
【請求項８】
ＯＮまたはＯＦＦ操作されるスイッチ操作部と、
前記スイッチ操作部がＯＮ側にあるか、ＯＦＦ側にあるかを検知する検知部と、
前記スイッチ操作部をＯＦＦからＯＮに操作するのと同時に、１回路以上の第１の電気接点をＯＮ状態に形成する第１機構と、
前記スイッチ操作部を、ＯＮからＯＦＦに操作すると、前記スイッチ操作部はＯＦＦ側になる一方、１回路以上の前記第１の電気接点はＯＮ状態を維持し、前記第１の電気接点のＯＮからＯＦＦへの変更は、電気信号のＯＦＦ→ＯＮ→ＯＦＦによって行う第２機構と、を備えるスイッチ装置を備えるスイッチ装置システムを、
前記第１の電気接点がＯＮ状態であること、および、前記スイッチ操作部がＯＦＦ側にあることを検知した場合は、異常状態であることを使用者に通知する第１の手段
として機能させるための制御プログラム。
【請求項９】
ＯＮまたはＯＦＦ操作されるスイッチ操作部と、
前記スイッチ操作部がＯＮ側にあるか、ＯＦＦ側にあるかを検知する検知部と、
前記スイッチ操作部をＯＦＦからＯＮに操作するのと同時に、１回路以上の第１の電気接点をＯＮ状態に形成する第１機構と、
前記スイッチ操作部を、ＯＮからＯＦＦに操作すると、前記スイッチ操作部はＯＦＦ側になる一方、１回路以上の前記第１の電気接点はＯＮ状態を維持し、前記第１の電気接点のＯＮからＯＦＦへの変更は、電気信号のＯＦＦ→ＯＮ→ＯＦＦによって行う第２機構と、を備えるスイッチ装置を備えるスイッチ装置システムを、
前記第１の電気接点がＯＮ状態であること、および、前記スイッチ操作部がＯＦＦ側にあることを検知した場合は、異常状態であること示す情報を表示装置に表示する第１の手段
として機能させるための制御プログラム。
【請求項１０】
ＯＮまたはＯＦＦ操作されるスイッチ操作部と、
前記スイッチ操作部がＯＮ側にあるか、ＯＦＦ側にあるかを検知する検知部と、
前記スイッチ操作部をＯＦＦからＯＮに操作するのと同時に、１回路以上の第１の電気接点をＯＮ状態に形成する第１機構と、
前記スイッチ操作部を、ＯＮからＯＦＦに操作すると、前記スイッチ操作部はＯＦＦ側になる一方、１回路以上の前記第１の電気接点はＯＮ状態を維持し、前記第１の電気接点のＯＮからＯＦＦへの変更は、電気信号のＯＦＦ→ＯＮ→ＯＦＦによって行う第２機構と、を備えるスイッチ装置を備えるスイッチ装置システムを、
前記第１の電気接点がＯＮ状態であること、および、前記スイッチ操作部がＯＦＦ側にあることを検知した場合、異常状態であることを使用者に通知せずに使用者が前記スイッチ操作部をＯＮ側に操作するまで待機する第１の手段
として機能させるための制御プログラム。
【請求項１１】
請求項８から１０のいずれか１項に記載の制御プログラムを記憶した、コンピュータが読取可能な記録媒体。
【発明の詳細な説明】
【技術分野】
【０００１】
本発明は、電気信号を通電／遮断したり、電源を通電／遮断するスイッチ装置を備えたスイッチ装置システム、およびスイッチ装置システムを備えたスイッチ装置機器に関する技術である。更に詳細には、スイッチ装置システム、およびスイッチ装置システムを備えたスイッチ装置機器は、スイッチのＯＮ操作に対しては同時にスイッチ接点が閉じてＯＮ状態になるが、スイッチのＯＦＦ操作に対しては同時にスイッチ接点が開いてＯＦＦ状態にならないと共に、スイッチのＯＮ／ＯＦＦの操作状態を認識でき、スイッチ外部のユニットに情報伝達可能である。そして、スイッチ接点のＯＦＦは、スイッチのＯＮ／ＯＦＦの操作状態を認識したスイッチ外のユニットから接点のＯＦＦに対する準備が完了した信号を受けた後にスイッチ接点が開いてＯＦＦ状態となる。また、更にスイッチの操作状態およびスイッチ接点がＯＮ状態の場合に、スイッチ外のユニットからの信号によって、スイッチの操作状態およびスイッチ接点を同時にＯＦＦ状態に変更可能である。このようなスイッチ装置のスイッチ接点のＯＦＦは、スイッチ外部からの制御が必要である。通常のスイッチ装置システム、およびスイッチ装置システムを備えたスイッチ装置機器の使用時には、スイッチ外部のユニットにもしかるべき電源やエネルギーが供給されているので、正常なスイッチ装置のスイッチ接点のＯＦＦが可能である。このようなスイッチ装置システム、およびスイッチ装置システムを備えたスイッチ装置機器は、スイッチのＯＦＦ操作後の状態ではスイッチ接点がＯＦＦとなるのが正常である。もしも、スイッチ装置システム、およびスイッチ装置システムを備えたスイッチ装置機器の不適切な使用をした場合やなんらかの異常がある場合には、スイッチがＯＦＦ操作されているにもかかわらず、スイッチ接点がＯＮのままとなる異常状態が考えられる。このようなスイッチ接点の異常状態となった場合でも、スイッチ装置システム、およびスイッチ装置システムを備えたスイッチ装置機器を正常状態に復帰させることを可能とする技術である。
【背景技術】
【０００２】
ＡＣ電源の通電／遮断を行う従来技術として、例えば、以下のような技術が挙げられる。第１の従来技術は、電源スイッチのＯＮ／ＯＦＦ操作によって、ＡＣ接点が閉／開されてＡＣ電源の通電／遮断を行うものである。第２の従来技術は、例えば、プロジェクタ装置等において、メインスイッチを備えず、押しボタンスイッチで機器を立上げたり、押しボタンスイッチで使用後の機器のＯＦＦ準備をするものであり、ＯＦＦ準備完了後にＡＣプラグをコンセントから抜く。
【０００３】
一般的には、これら第１の従来技術や第２の従来技術が主流であるが、例えば、第１の従来技術では、突然電源スイッチをＯＮ→ＯＦＦ操作した場合、ＨＤＤ動作中やＤＣ電源の冷却中や加熱部の冷却中等で、機器のＯＦＦ準備ができていないタイミングでＡＣ電源供給が停止すると、機器を破壊してしまうという問題がある。
【０００４】
また、第２の従来技術では、第１の従来技術と同様に、機器のＯＦＦ準備は確実にできるが、ＡＣプラグがコンセントにささっている限り、押しボタンスイッチ検知用の電力消費を始めＯＮ準備のためのＡＣ電力を常に消費することとなり、省エネルギー化を図れず、また使用者にとって使いにくいという問題がある。
【０００５】
このような問題を解決するため、第３の従来技術では、トイレの換気扇スイッチの動作をＡＣ電源の通電／遮断に採用し、同時に別スイッチや検知手段で、スイッチ操作のＯＮ／ＯＦＦ状態を検知して、ＯＦＦ検知した場合は、速やかに機器のＯＦＦ準備処理を実行して、その後に換気扇スイッチのゼンマイ仕掛けのタイマーによるＡＣ電源の遮断に備える。
【０００６】
この第３の従来技術では、ＡＣ電源の遮断に対しては確実に機器のＯＦＦ準備処理が完了できる点や無駄な電力を消費しない点は優れているが、機械的構造が多少複雑であることや製造コストが高くなるという問題がある。さらには、機器のＯＦＦ準備が短時間で完了した場合でもＡＣ電源の遮断までは所定の時間を要するため、若干の無駄な電力消費が生じる場合がある。
【０００７】
このような問題を解決するため、第４の従来技術では、電源スイッチのＡＣ接点と並列にリレー接点を設け、スイッチユニットとして、スイッチとリレーとを組み合わせて、電子的なタイマ手段を備えた方式である。この第４の従来技術によれば、第３の従来技術の問題は改善できるが、スイッチユニットが現状の電源スイッチの数倍の大きさになってしまう点やＡＣ接点回路が２倍必要な点や、電源スイッチＯＮ中はリレーの励磁電流を常に流すと共にタイマ動作用の無駄な電力消費も常に生じるという問題がある。また、機器のＯＦＦ準備が短時間で完了した場合でもＡＣ電源の遮断までは所定の時間がかかるので、若干の無駄な電力消費が生じる問題は依然解決されない。
【０００８】
このため、第５の従来技術では、上記第４の従来技術におけるスイッチとリレーを別個に分離して、スイッチ部に更にスイッチ操作のＯＮ／ＯＦＦ状態を検知できる別スイッチや検知手段）を備え、また、タイマを搭載せず、ＯＦＦ検知した後に機器のＯＦＦ準備処理を完了してから、リレーの励磁電源をＯＦＦ制御する方式を採用している。
【０００９】
この第５の従来技術では、スイッチ操作のＯＦＦ状態を検知した場合、機器のＯＦＦ準備処理を確実に実行、完了して、完了直後にＡＣ電源の遮断を実行できるという確実性がある点で優れている。しかしながら、この第５の従来技術では、ＡＣ接点回路が２倍必要な点や、電源スイッチのＯＮ中はリレーの励磁電流を常に流して無駄な電力消費が生じるという問題は解決できていない。また、別スイッチや検知手段によるスペースが増加するという問題もある。
【発明の概要】
【発明が解決しようとする課題】
【００１０】
本発明は、上記に鑑みてなされたものであって、（１）電源スイッチの突然のＯＦＦに対しても機器を安全に停止させることができ、（２）機器を使用しない時は電源スイッチによってＡＣ電源の遮断が可能であり、（３）機器の動作中の無駄電力が少なく、（４）機器のＯＦＦモード中の無駄電力が少なく、（５）スイッチや必要部品の所要スペースを極力小さくすることができ、（６）さらなる低コストで製造することができ、（７）スイッチがＯＦＦ操作されているにもかかわらず、スイッチ接点がＯＮのままとなる異常状態を正常状態に復帰させることができるスイッチ装置システム、スイッチ装置システムを備えたスイッチ装置機器、制御プログラムおよび記録媒体を提供することを目的とする。
【課題を解決するための手段】
【００１１】
上述した課題を解決し、目的を達成するために、本発明は、スイッチ装置を備えるスイッチ装置システムであって、前記スイッチ装置は、ＯＮまたはＯＦＦ操作されるスイッチ操作部と、前記スイッチ操作部がＯＮ側にあるか、ＯＦＦ側にあるかを検知する検知部と、前記スイッチ操作部をＯＦＦからＯＮに操作するのと同時に、１回路以上の第１の電気接点をＯＮ状態に形成する第１機構と、前記スイッチ操作部を、ＯＮからＯＦＦに操作すると、前記スイッチ操作部はＯＦＦ側になる一方、１回路以上の前記第１の電気接点はＯＮ状態を維持し、前記第１の電気接点のＯＮからＯＦＦへの変更は、電気信号のＯＦＦ→ＯＮ→ＯＦＦによって行う第２機構と、を備え、制御開始時に、前記第１の電気接点がＯＮ状態であること、および、前記スイッチ操作部がＯＦＦ側にあることを検知した場合は、異常状態であることを使用者に通知する第１の手段を備えること、を特徴とする。
【００１２】
また、本発明は、スイッチ装置を備えるスイッチ装置システムであって、前記スイッチ装置は、ＯＮまたはＯＦＦ操作されるスイッチ操作部と、前記スイッチ操作部がＯＮ側にあるか、ＯＦＦ側にあるかを検知する検知部と、前記スイッチ操作部をＯＦＦからＯＮに操作するのと同時に、１回路以上の第１の電気接点をＯＮ状態に形成する第１機構と、前記スイッチ操作部を、ＯＮからＯＦＦに操作すると、前記スイッチ操作部はＯＦＦ側になる一方、１回路以上の前記第１の電気接点はＯＮ状態を維持し、前記第１の電気接点のＯＮからＯＦＦへの変更は、電気信号のＯＦＦ→ＯＮ→ＯＦＦによって行う第２機構と、を備え、制御開始時に、前記第１の電気接点がＯＮ状態であること、および、前記スイッチ操作部がＯＦＦ側にあることを検知した場合、異常状態であることを使用者に通知せずに使用者が前記スイッチ操作部をＯＮ側に操作するまで待機する第１の手段を備えること、を特徴とする。
【発明の効果】
【００１３】
本発明によれば、電源スイッチの突然のＯＦＦに対しても機器を安全に停止させることができ、機器を使用しない時は電源スイッチによってＡＣ電源の遮断が可能であり、機器の動作中の無駄な電力が少なく、機器のＯＦＦモード中の無駄電力が少なく、スイッチや必要部品の所要スペースを極力小さくすることができ、さらなる低コストで製造することができ、スイッチがＯＦＦ操作されているにもかかわらず、スイッチ接点がＯＮのままとなる異常状態を正常状態に復帰させることができるという効果を奏する。
【図面の簡単な説明】
【００１４】
【図１】図１は、実施の形態１のスイッチ装置のスイッチ本体部の機械的構造を示す模式図である。
【図２】図２は、実施の形態１のスイッチ装置において第１の電気接点を閉状態（接点ＯＮ）から開状態（接点ＯＦＦ）にする機構の構造を示す模式図である。
【図３】図３は、実施の形態１のスイッチの接点の動作や信号の流れを説明する回路構成図である。
【図４】図４は、実施の形態１のコントローラによる制御処理の手順を示すフローチャートである。
【図５】図５は、実施の形態２のコントローラによる制御処理の手順を示すフローチャートである。
【図６】図６は、実施の形態３のコントローラによる制御処理の手順を示すフローチャートである。
【発明を実施するための形態】
【００１５】
以下に添付図面を参照して、この発明にかかるスイッチ装置システムおよびスイッチ装置システムを備えた機器の実施の形態を詳細に説明する。なお、言うまでも無いが、以下の実施の形態は本発明の一例を説明するものであって、本発明の範囲を逸脱しないで当業者が各種の変更や変形や改善を加えることは可能であり、本発明は、以下の実施の形態に限定されるものではない。
【００１６】
（実施の形態１）
図１は、実施の形態１のスイッチ装置のスイッチ本体部１０の機械的構造を示す模式図である。図１では、スイッチ操作部１がＯＮとなった状態を示している。
【００１７】
図１に示すように、本実施の形態のスイッチ本体部１０は、スイッチ操作部１と、第１のスイッチ接点レバ２１、２２と、第２のスイッチ接点レバ３とを主に備えている。また、本実施の形態のスイッチ本体部１０は、第１の電気接点として、第１のスイッチ接点レバ２１に対応した第１のスイッチの接点レバ側接点２１ｃと第１のスイッチの端子側接点２１ｄ、および第１のスイッチ接点レバ２２に対応する第１のスイッチの接点レバ側接点（図示省略）と第１のスイッチの端子側接点（図示省略）をスイッチ操作部１の下部１ｂの下方に備えている。
【００１８】
また、本実施の形態のスイッチ本体部１０は、第２の電気接点として、第２のスイッチ接点レバ３に対応した第２のスイッチの接点レバ側接点（図示省略）と第２のスイッチの端子側接点（図示省略）をスイッチ操作部１の下部１ｂの下方に備えている。
【００１９】
実施の形態１のスイッチ装置は、第１の電気接点が、スイッチ操作部１がＯＮ状態の場合では、常に閉状態（接点ＯＮ）となるが、スイッチ操作部１のＯＮ→ＯＦＦ操作では、第１の電気接点が閉→開状態（接点ＯＦＦ）せず、第２の電気接点は、スイッチ操作部１がＯＮ状態の場合では、常に閉状態（接点ＯＮ）となるとともに、スイッチ操作部１がＯＦＦ状態の場合では、常に第２の電気接点が開状態（接点ＯＦＦ）となるものである。ここで、第２の電気接点は、一般的なスイッチ装置（スイッチ操作部のＯＮ／ＯＦＦ操作に同期して電気接点の閉状態（接点ＯＮ）／開状態（接点ＯＦＦ）が変化する機構）と同様である。
【００２０】
スイッチ操作部１は、その下部１ｂと一体型の構造となっており、ＯＮ／ＯＦＦの動作を、支点１ａを中心軸として利用者に押下されることにより回動可能となっている。
【００２１】
スイッチ操作部１の下部１ｂは、図１に示すように、第１のスイッチの接点レバ側接点２１ｃと反対側の部分において、第１のスイッチ接点レバ２１、２２に対向する部分を切り欠いている。このため、スイッチ操作部１の下部１ｂの下面は第１のスイッチ接点レバ２１、２２の上面に当接不能となっている。一方、スイッチ操作部１の下部１ｂは、図１に示すように、第２のスイッチの接点レバ側接点と反対側の部分で第２のスイッチ接点レバ３に対向する部分はこのような切り欠き部を備えていない。このため、スイッチ操作部１の下部１ｂの下面は第２のスイッチ接点レバ３の上面に当接可能であり、後述するように、スイッチ操作部１をＯＦＦに押下した状態で、スイッチ操作部１の下部１ｂの下面は、第２のスイッチ接点レバ３のみを押下し、第１のスイッチ接点レバ２１、２２を押下しない構造となっている。
【００２２】
スイッチ操作部１がＯＮ側の状態では、スイッチ操作部１の下部１ｂ全体は、第１のスイッチ接点レバ２１と第１のスイッチ接点レバ２２と第２のスイッチ接点レバ３と接していて、このＯＮ状態で、第１のスイッチ接点レバ２１に対応した第１のスイッチの接点レバ側接点２１ｃと第１のスイッチの端子側接点２１ｄ同士、および、第１のスイッチ接点レバ２２に対応する第１のスイッチの接点レバ側接点（図示省略）と第１のスイッチの端子側接点（図示省略）同士、さらに、第２のスイッチ接点レバ３に対応した第２のスイッチの接点レバ側接点（図示省略）と第２のスイッチの端子側接点（図示省略）同士が接触状態を維持する。これにより、３つの第１のスイッチ接点レバ２１、２２、および第２のスイッチ接点レバ３のそれぞれに対応した３つの電気接点が閉状態（接点ＯＮ状態）となり、回路電流が流れる。
【００２３】
第１のスイッチ接点レバ２１に対応したスイッチ接点回路について具体的に説明すると、第１のスイッチの接点レバ動作時常時接触導体側の端子２１ｅと、第１のスイッチの接点レバ動作時常時接触導体２１ｂと、第１のスイッチの接点レバ導体２１ａと、第１のスイッチの接点レバ側接点２１ｃと、第１のスイッチの端子側接点２１ｄと、第１のスイッチのＯＮ−ＯＦＦ接点側の端子２１ｆが電気的に導通することにより、回路電流が流れる。第１のスイッチ接点レバ２２、および第２のスイッチ接点レバ３に対応した２つのスイッチ接点回路についても同様（図示省略）である。
【００２４】
一方、スイッチ操作部１がＯＮ側→ＯＦＦ側に押下されると、スイッチ操作部１の下部１ｂは奥側の第２のスイッチ接点レバ３の全面とは接しているので、スイッチ操作部１のＯＮからＯＦＦへの操作とともに、第２のスイッチ接点レバ３も回動して、第２のスイッチ接点レバ３に対応した第２のスイッチの接点レバ側接点（図示省略）と第２のスイッチの端子側接点（図示省略）同士の接触状態を解除され、開状態（接点ＯＦＦ）となる。
【００２５】
また、スイッチ操作部１の下部１ｂの第１のスイッチ接点レバ２１および第１のスイッチ接点レバ２２側は切り欠き部を有しているので、スイッチ操作部１をＯＦＦ状態に押下されても、スイッチ操作部１の下部１ｂは、第１のスイッチ接点レバ２１と第１のスイッチ接点レバ２２とに接することはなく、第１のスイッチ接点レバ２１と第１のスイッチ接点レバ２２は押し下げられない。このため、この状態では、第１のスイッチ接点レバ２１に対応する第１のスイッチの接点レバ側接点２１ｃと第１のスイッチの端子側接点２１ｄ同士、および第１のスイッチ接点レバ２２に対応する第１のスイッチの接点レバ側接点（図示省略）と第１のスイッチの端子側接点（図示省略）同士は接触状態、すなわち閉状態（接点ＯＮ）を維持する。
【００２６】
このようなスイッチ機構とすることで、第２のスイッチ接点レバ３に対応した第２のスイッチの接点レバ側接点（図示省略）と第２のスイッチの端子側接点（図示省略）同士の接触状態をスイッチ内部あるいはスイッチ外部で検知すれば、スイッチ操作部１がＯＮ側かＯＦＦ側のどちらに操作されているか検知することができる。
【００２７】
また、本実施の形態では、スイッチ操作部１がＯＮ側かＯＦＦ側のどちらに操作されているか検知する手段として、第２のスイッチの接点レバ側接点（図示省略）と第２のスイッチの端子側接点（図示省略）同士の接触状態の検知としているが、これに限定されるものではない。例えば、スイッチ操作部１と連動して稼働するフォトインタラプタの受光状態を変化させる遮光板を設けて検知するように構成することができる。
【００２８】
また、第２のスイッチの接点レバ側接点と第２のスイッチの端子側接点からなる第２の電気接点は、スイッチ操作部１のＯＮ／ＯＦＦ操作に同期して電気接点が開（ＯＦＦ）／閉（ＯＮ）するように構成し、第１のスイッチの接点レバ側接点２１ｃと第１のスイッチの端子側接点２１ｄからなる第１の電気接点を、スイッチ操作部１のＯＮからＯＦＦ操作に同期せずに電気接点が閉状態に維持するように構成してもよい。
【００２９】
次に、スイッチ操作部１がＯＮからＯＦＦに操作された際に、第１の電気接点を閉状態（接点ＯＮ）から開状態（接点ＯＦＦ）にする機構について説明する。
【００３０】
図２は、実施の形態１のスイッチ装置において第１の電気接点を閉状態（接点ＯＮ）から開状態（接点ＯＦＦ）にする機構の構造を示す模式図である。図２では、第１のスイッチ接点レバ２１と第１のスイッチ接点レバ２２の下方部分のみを示している。また、図２では、スイッチ操作部１をＯＦＦ操作した場合で、スイッチ接点レバＯＮ→ＯＦＦ可動用電磁石コイル４ｂに電流を流していない状態を示している。
【００３１】
スイッチ操作部１がＯＮからＯＦＦに操作された場合は、上述したとおり、第２の電気接点（第２のスイッチの接点レバ側接点と第２のスイッチの端子側接点）は開状態となるが、第１の電気接点（第１のスイッチの接点レバ側接点２１ｃと第１のスイッチの端子側接点２１ｄ、および第１のスイッチ接点レバ２２に対応する第１のスイッチの接点レバ側接点（図示省略）と第１のスイッチの端子側接点（図示省略））は、接触状態を維持し、閉状態（接点ＯＮ）となっている。
【００３２】
図１で示したスイッチ本体部１０には、図２に示すように、スイッチ接点レバＯＮ→ＯＦＦ可動用鉄板（磁性体）２９が、第１のスイッチ接点レバ２１と第１のスイッチ接点レバ２２の下部に接合されている。これにより、第１のスイッチ接点レバ２１と第１のスイッチ接点レバ２２は連動して動作する。
【００３３】
また、図２に示すように、図１で示したスイッチ本体部１０には、スイッチ接点レバＯＮ→ＯＦＦ可動用鉄心４ａがスイッチ接点レバＯＮ→ＯＦＦ可動用電磁石コイル４ｂを巻回した状態で、スイッチ接点レバＯＮ→ＯＦＦ可動用鉄板（磁性体）２９と対峙して配置されている。ここで、スイッチ接点レバＯＮ→ＯＦＦ可動用鉄心４ａとスイッチ接点レバＯＮ→ＯＦＦ可動用電磁石コイル４ｂとは電磁石を構成し、後述する回路構成によって電流をスイッチ接点レバＯＮ→ＯＦＦ可動用電磁石コイル４ｂに流すと、スイッチ接点レバＯＮ→ＯＦＦ可動用鉄心４ａが磁化する。従って、スイッチ接点レバＯＮ→ＯＦＦ可動用電磁石コイル４ｂに電流を流すことによって、スイッチ接点レバＯＮ→ＯＦＦ可動用鉄心４ａとスイッチ接点レバＯＮ→ＯＦＦ可動用鉄板（磁性体）２９の間に電磁吸引力が作用し、第１のスイッチ接点レバ２１と第１のスイッチ接点レバ２２の図２における右側部分を引き下げる。これにより、第１の電気接点、すなわち、第１のスイッチの接点レバ側接点２１ｃと第１のスイッチの端子側接点２１ｄ、および第１のスイッチ接点レバ２２に対応する第１のスイッチの接点レバ側接点（図示省略）と第１のスイッチの端子側接点（図示省略）の接触状態は解除されて開状態（接点ＯＦＦ）となる。ここで、スイッチ接点レバＯＮ→ＯＦＦ可動用電磁石コイル４ｂに流す電流は、直流、交流のいずれでも良い。
【００３４】
なお、上記の説明では、スイッチ操作部１がＯＦＦ側に操作されている場合について説明したが、スイッチ操作部１がＯＮ側に操作されている場合については、スイッチ接点レバＯＮ→ＯＦＦ可動用電磁石コイル４ｂに電流を流した場合は、第１の電気接点の接触状態が解除されると共に、第１のスイッチ接点レバ２１と第１のスイッチ接点レバ２２の図２における左側部分を引き上げる力でスイッチ操作部１をＯＮ側からＯＦＦ側に変更できるようにしても良い。
【００３５】
また、上記のスイッチ構造として、第１のスイッチ接点レバ２１がＯＮ側やＯＦＦ側のどちらに可動しても第１のスイッチの接点レバ導体２１ａと第１のスイッチの接点レバ動作時常時接触導体２１ｂは常に接触している。第１のスイッチ接点レバ２２や第２のスイッチ接点レバ３についても同様である。
【００３６】
このようなスイッチ構成とすれば、いつスイッチ操作部１がＯＮ→ＯＦＦされてもスイッチ内部の第１のスイッチ接点はＯＮのままであるので、第１の電気接点が突然遮断されることが無い。従って、スイッチのＯＦＦ状態を検知してから、機械を安全に停止させたり、途中の動作を完了することができる。また、従来技術のように、リレー接点を励磁電流でＯＮに維持することも必要ないので、無駄な電力消費も生じない。このため、機械の動作中やＯＦＦモード中でも第１のスイッチ接点回路維持のエネルギーは不要である。なぜなら、接点のＯＮは、スイッチ操作部１のＯＦＦ→ＯＮの操作で、第１の電気接点の接触維持が完了しているからである。
【００３７】
第１の電気接点の接点ＯＦＦは、第２の電気接点で、スイッチ操作部１のＯＮ→ＯＦＦを検知したら、シャットダウン前処理を実行した後に第１の電気接点を電磁石（後述する実施の形態２ではバイメタル等）でＯＦＦにすることができる。シャットダウン前処理とは、各種機器でＡＣ入力電圧供給を遮断される前に各種機器を安全停止させるための処理である。従って、機器を使用しない場合は、第１の電気接点を接点ＯＦＦにして無駄な消費電力を低減するとともに電源遮断が可能である。
【００３８】
また、従来技術のように、スイッチと並列なリレー回路は不要である。第１の電気接点そのものがスイッチ機能と従来技術のリレーの機能を同時に担っている。従って、小型化やコスト的に有利なスイッチ装置や該スイッチ装置を備えた機器が実現できる。
【００３９】
次に、電磁石に通電して第１の電気接点を開状態にするための回路構成について説明する。図３は、実施の形態１のスイッチの接点の動作や信号の流れを説明する回路構成図である。
【００４０】
本実施の形態のスイッチ装置システムは、図３に示すように、５ＶＥ電源３０１と、コントローラ３０２と複合メインスイッチ３０３（スイッチ装置）とを主に備えた回路構成となっている。
【００４１】
５ＶＥ電源３０１は、ＤＣ低圧の制御用電源であり、制御部が動作している時は常にＤＣ５Ｖ等の出力電圧を供給することが求められる電源である。複合メインスイッチ３０３は、ＡＣＳＤ（ＡＣシャットダウン）スイッチ３０４と電磁石と信号スイッチ（４）とを備えている。図３において、電磁石はスイッチ接点レバＯＮ→ＯＦＦ可動用電磁石コイル４ｂのみを図示している。
【００４２】
信号スイッチ（４）は、第２の電気接点としての第２のスイッチの接点レバ側接点と第２のスイッチの端子側接点（ともに図示省略）に相当する。従って、信号スイッチ（４）は、上述したとおり、スイッチ操作部１のＯＮ操作に対して連動して閉状態（接点ＯＮ）になるとともに、スイッチ操作部１のＯＦＦ操作に対して連動して開状態（接点ＯＦＦ）となる。コントローラ３０２は、この信号スイッチ（４）のＯＮ／ＯＦＦ状態を検知することにより、スイッチ操作部１がＯＮ側かＯＦＦ側のどちらに操作されているかを検知することができる。また、コントローラ３０２は制御部であるので動作中は常にＤＣ５Ｖ等の出力電圧を供給することが求められる。
【００４３】
ＡＣＳＤスイッチ３０４は、スイッチ回路（１）、（２）を備えている。ここで、スイッチ回路（１）、（２）は、それぞれ第１の電気接点としての第１のスイッチの接点レバ側接点２１ｃと第１のスイッチの端子側接点２１ｄ、および図１に示される第１のスイッチ接点レバ２２に対応する第１のスイッチの接点レバ側接点（図示省略）と第１のスイッチの端子側接点（図示省略）に相当する。
【００４４】
スイッチ操作部１がＯＮ操作されるとこのスイッチ回路（１）、（２）がＯＮ状態、すなわち閉状態となり、これにより商用電源のＡＣ入力３０６からＡＣ電力が５ＶＥ電源（ＤＣ低圧の制御用電源）３０１に供給される。一方、スイッチ操作部１がＯＦＦ操作された場合には、突然のＡＣ電力遮断を回避するため、上述した機構により、第１の電気接点としてのスイッチ回路（１）、（２）の接点は直ちに開状態とならない。
【００４５】
図３において、２点鎖線矢印は、スイッチ操作部１の動作に対して電気接点が連動して動作するＯＮ／ＯＦＦ状態を示す。従って、スイッチ回路（１）、（２）は、同回路らが開状態（接点ＯＦＦ）でのスイッチ操作部１のＯＮに対してのみ連動して閉状態（接点ＯＮ）となる。（一度閉状態（接点ＯＮ）となったスイッチ回路（１）、（２）はその後のスイッチ操作部１のＯＮ／ＯＦＦ操作に対して、接点状態は閉状態（接点ＯＮ）を維持する。）スイッチ回路（１）、（２）を開状態（接点ＯＦＦ）とするには、スイッチ接点レバＯＮ→ＯＦＦ可動用電磁石コイル４ｂに電流を流すこと（説明後術）で可能である。
【００４６】
図３における点線の矢印は、一瞬の電磁石の力によるスイッチ接点をＯＮからＯＦＦにすることができることを示している。スイッチ回路（１）、（２）の接点が相当する。すなわち、スイッチ接点レバＯＮ→ＯＦＦ可動用電磁石コイル４ｂが通電されると、スイッチ回路（１）、（２）が開状態となる。
【００４７】
コントローラ３０２は、５ＶＥ電源３０１に接続されている。コントローラ３０２は、信号スイッチ（４）の開／閉状態を検知している。コントローラ３０２は、信号スイッチ（４）の開状態を検知した場合、速やかにシャットダウン前処理を実行する。ここで、シャットダウン前処理としては、画像形成装置では、ハードディスクドライブ装置（ＨＤＤ）の途中処理の完了や読み書き停止や画像形成作業の完了や冷却ファンの一定時間回転や各種可動物のホームポジション停止などが該当する。また、電気機器や工作機械や医療機器や自動車や輸送機器等の場合には、シャットダウン前処理としては、データの記録処理や仕掛かりジョブの完了や安全停止処理等が該当する。
【００４８】
コントローラ３０２は、シャットダウン前処理の実行を完了したら、電磁石に対して電磁石ＯＮ信号を出力して、電磁石のスイッチ接点レバＯＮ→ＯＦＦ可動用電磁石コイル４ｂに電流を流して電磁石をＯＮにする。これにより、第１の電気接点としてのスイッチ回路（１）、（２）の接点が開状態となり、接点ＯＦＦとなる。
【００４９】
ここで、電磁石ＯＮ信号は、電磁石を通電してＯＮにすることにより第１の電気接点を開状態（接点ＯＦＦ）にするための電気信号であり、電磁石に通電する通電電流そのものを電磁石ＯＮ信号として用いる他、電磁石の電流をＯＦＦ→ＯＮに切り替えるための制御信号を電磁石ＯＮ信号として構成することができるが、これらに限定されるものではない。
【００５０】
ここで、コントローラ３０２の電磁石のＯＮ制御は、例えば０．１秒等の一瞬で十分である。このため、電磁石のＯＮ制御の動作で消費されるエネルギーは極めて微小で済む。ここで、コントローラ３０２による電磁石のＯＮ制御を短時間にすることは好ましいが、本実施の形態の場合、電磁石のＯＮ制御を継続しても、スイッチ回路（１）、（２）の接点を開状態にすると、ＡＣ入力３０６から５ＶＥ電源３０１への電力供給が停止するので、コントローラ３０２による電磁石に対する通電のエネルギーも自動的に消滅する。どちらの構成の場合でも、コントローラ３０２は、スイッチ操作部１がＯＦＦ操作されたことを検知して、シャットダウン（ＡＣスイッチ接点開放）のシーケンスを決定することができる。
【００５１】
次に、スイッチ操作部１がＯＮ側からＯＦＦ側に操作された場合において、このようなコントローラ３０２による第１の電気接点の接点ＯＮ（閉状態）から接点ＯＦＦ（開状態）への制御について詳細に説明する。図４は、実施の形態１のコントローラ３０２による制御処理の手順を示すフローチャートである。ここで、図４に示す制御処理は、コントローラ制御のメインルーチンの中で毎回実行されるように構成する他、例えば２０ｍｓ毎等の一定時間毎に実行するように構成することができる。後に説明する図５や図６についても同様である。
【００５２】
まず、コントローラ３０２は、第２の電気接点、すなわち信号スイッチ（４）の開閉状態を検知することにより、スイッチ操作部１がＯＮ側／ＯＦＦ側のいずれの位置にあるかを検知する（ステップＳ１１）。ここで、コントローラ３０２側でＧＮＤ以外の電圧に入力信号を抵抗を介してプルアップやプルダウンすることにより信号スイッチ（４）の開閉検知を行うことができる。具体的には、コントローラ３０２は、信号スイッチ（４）が閉状態であることを検知した場合には、スイッチ操作部１はＯＮ側に位置していると検知し、信号スイッチ（４）が開状態であることを検知した場合には、スイッチ操作部１はＯＦＦ側に位置していることを検知する。
【００５３】
そして、スイッチ操作部１がＯＮ側に位置している場合は（ステップＳ１１：ＯＮ）、コントローラ３０２は次回の処理まで待機する。一方、スイッチ操作部１がＯＦＦ側に位置している場合は（ステップＳ１１：ＯＦＦ）、コントローラ３０２は、シャットダウン前処理が完了しているか否か、あるいはシャットダウン前処理が不要か否かを判断する（ステップＳ１２）。
【００５４】
そして、シャットダウン前処理が完了していないあるいはシャットダウン前処理が必要と判断した場合（ステップＳ１２：Ｎｏ）、コントローラ３０２はシャットダウン前処理を開始済みか否かを判断する（ステップＳ１３）。そして、コントローラ３０２は、シャットダウン前処理を開始済みである場合には（ステップＳ１３：Ｙｅｓ）、シャットダウン前処理を継続し（ステップＳ１４）、次回の処理まで待機する。一方、コントローラ３０２は、シャットダウン前処理を開始済みでない場合には（ステップＳ１３：Ｎｏ）、シャットダウン前処理を開始し（ステップＳ１５）、次回の処理まで待機する。このような処理を行うのは、直ちに、第１の電気接点を開状態にすると突然のＡＣ電力遮断となって問題になるためである。
【００５５】
ステップＳ１２において、コントローラ３０２は、シャットダウン前処理が完了している、あるいはシャットダウン前処理が不要と判断した場合には（ステップＳ１２：Ｙｅｓ）、直ちに第１の電気接点を開状態にしても問題にならないため、第１の電気接点であるスイッチ回路（１）、（２）を開状態するための電磁石ＯＮ信号を出力済みか否か判断する（ステップＳ１６）。そして、コントローラ３０２は、電磁石ＯＮ信号を出力済みでない場合には（ステップＳ１６：Ｎｏ）、電磁石ＯＮ信号（電磁石に通電する通電電流や、電磁石の電流をＯＦＦ→ＯＮに切り替えるための制御信号等）を出力し（ステップＳ１７）、次回の処理まで待機する。これにより、電磁石のスイッチ接点レバＯＮ→ＯＦＦ可動用電磁石コイル４ｂに電流が流れ、電磁石がＯＮになる。
【００５６】
ステップＳ１６において、コントローラ３０２は、電磁石ＯＮ信号を出力済みの場合（ステップＳ１６：Ｙｅｓ）、ステップＳ１７における電磁石ＯＮ信号の出力から一定時間が経過したかどうかを確認する（ステップＳ１８）。そして、一定時間の経過が確認できない場合には（ステップＳ１８：Ｎｏ）、次回の処理まで待機する。一方、ステップＳ１８において、一定時間の経過が確認できた場合は（ステップＳ１８：Ｙｅｓ）、電磁力によって、第１の電気接点であるスイッチ回路（１）、（２）が開状態となり、接点ＯＦＦとなっているので、電磁石ＯＦＦ信号を出力して（ステップＳ１９）、次回の処理まで待機する。ここで、電磁石ＯＦＦ信号とは、電磁石の通電をやめて電磁石をＯＦＦするための信号であり、通電電流を停止する他、電磁石の電流をＯＮ→ＯＦＦに切り替えるための制御信号等を電磁石ＯＦＦ信号として用いることができるが、これらに限定されるものではない。
【００５７】
なお、本実施の形態では、電磁石ＯＮ信号の出力から一定時間経過したら電磁石ＯＦＦ信号を出力しているが（ステップＳ１８、Ｓ１９）、電磁石ＯＮ信号を出力済みである場合（ステップＳ１６：Ｙｅｓ）、これらのステップＳ１８、Ｓ１９を行わずに、次回の処理まで待機するように構成してもよい。この後の第１の電気接点（スイッチ回路（１）、（２））の接点ＯＦＦによって、ＡＣ入力３０６から５ＶＥ電源３０１への電力供給が停止するので、コントローラ３０２による電磁石に対する通電のエネルギーも自動的に消滅するからである。図４のフローチャートでは、点線四角領域を実線円領域に変更可能である。
【００５８】
また、スイッチ操作部１がＯＮ側の位置にある場合でも、コントローラ３０２の判断によって、コントローラ３０２からシャットダウン実行信号を入力した場合に、電磁石（スイッチ接点レバＯＮ→ＯＦＦ可動用電磁石コイル４ｂ）をＯＮ制御して、これにより強制的に第１の電気接点をＯＮからＯＦＦに変更するとともに、スイッチ操作部１をＯＮ側からＯＦＦ側へ変更するように構成してもよい。
【００５９】
実施の形態１のようなスイッチ装置では、第１の電気接点のＯＮからＯＦＦへの変更は、スイッチ外部からの電気信号によるＯＦＦ→ＯＮ→ＯＦＦの制御が必要である。もしも、スイッチ装置システム、およびスイッチ装置システムを備えたスイッチ装置機器の不適切な使用をした場合や何らかの異常がある場合には、スイッチがＯＦＦ操作されているにもかかわらず、スイッチ接点がＯＮのままとなる異常状態が考えられる。このようなスイッチ接点の異常状態となった場合でも、スイッチ装置システム、およびスイッチ装置システムを備えたスイッチ装置機器を正常状態に復帰させる手段が必要である。
【００６０】
スイッチ装置システム、およびスイッチ装置システムを備えたスイッチ装置機器の不適切な使用をした場合についての具体的な例としては、以下の場合等が考えられる。
・電源プラグをコンセントに接続していない状態で、スイッチをＯＮ操作して、その後に電源未接続に気づいてスイッチをＯＦＦ操作した場合は、スイッチのＡＣ接点はＯＮ状態のままであるので、異常状態となる。
・スイッチ装置システム、およびスイッチ装置システムを備えたスイッチ装置機器のスイッチがＯＮ操作されていて、動作状態の時に突然停電となった場合、および、電源プラグをコンセントから突然抜かれてしまった場合（電源コードを足で引っ掛けてしまった場合や通電スイッチ付のテーブルタップでシステムや機器のＯＦＦ操作をした場合も同様である）に、その後にスイッチをＯＦＦ操作してもスイッチのＡＣ接点はＯＮ状態のままであるので、異常状態となる。
【００６１】
このような状態は、スイッチ操作部がＯＦＦ側にあるにもかかわらず、スイッチのＡＣ接点がＯＮ状態となっていることが異常である。したがって、しかる後にＡＣ商用電源がスイッチ装置システム、およびスイッチ装置システムを備えたスイッチ装置機器に供給された場合は、ＡＣ接点はＯＮ状態となっているので、ＡＣ商用電源が供給されるやいなや、スイッチ装置システム、およびスイッチ装置システムを備えたスイッチ装置機器の動作は再開されて、実施の形態１の図４のステップＳ１１でＯＦＦ判断となるので、その後シャットダウン処理が実行されて、スイッチのＡＣ接点はＯＦＦにされる。この状態となれば、スイッチ操作部がＯＦＦ側で、スイッチのＡＣ接点もＯＦＦ状態となっているので、異常状態から正常状態に復帰することができる。
【００６２】
このように本実施の形態では、スイッチ操作部１がＯＮ側からＯＦＦ側に操作された場合でも直ちに第１の電気接点を開状態とせずに接点ＯＮを維持し、シャットダウン前処理を完了してから電磁石を通電して第１の電気接点を開状態にして接点ＯＦＦとしているので、スイッチ操作部１の突然のＯＦＦ操作に対してもスイッチ装置を搭載した機器を安全に停止させることができる。また、機器を使用しない時には、スイッチ装置によってＡＣ電源の遮断を行うことができる。また、機器の動作中および電源ＯＦＦ時の無駄な電力消費が少ないので、電力消費を削減することができる。また、スイッチや必要部品の所要スペースが極力小さいため、スイッチ装置の省スペース化を図ることができる。また、従来技術と比較して、製造コストをさらに低減したスイッチ装置を提供することができる。さらに、スイッチがＯＦＦ操作されているにもかかわらず、スイッチ接点がＯＮのままとなる異常状態を正常状態に復帰させることができる。
【００６３】
すなわち、実施の形態１では、上述の（１）〜（７）の課題を解決できる。さらに、（７）の課題については、スイッチ装置システム、およびスイッチ装置システムを備えたスイッチ装置機器の使用者の利便性を向上できる別の解決方法について、以下の各実施の形態で説明する。
【００６４】
（実施の形態２）
実施の形態１のようなスイッチ装置システム、およびスイッチ装置システムを備えたスイッチ装置機器では、前述した異常状態から正常状態に復帰する際に、ＡＣ商用電源が供給されるやいなや、動作を再開した後に自動的にシャットダウン処理が実行されて、スイッチのＡＣ接点がＯＦＦにされる。したがって、ＡＣ商用電源が供給されてからの一連の動作は、スイッチ装置システム、およびスイッチ装置システムを備えたスイッチ装置機器の使用者から見たら特異な現象であり、なぜこのような動作が実行されているのか理解ができないので問題となる。また、動作自体は短時間で気にならない場合でも、スイッチのＡＣ接点がＯＦＦにされる際に発生する音については、使用者に違和感を与えるものである。
【００６５】
そこで、このような問題を解決するために、実施の形態２は、図４に示したフローチャートを図５の実施の形態２のコントローラ３０２による制御処理の手順を示すフローチャートに変形したものである。
【００６６】
まず、コントローラ３０２に記憶されているプログラムがスタートして図５のフローチャートが実行されるには、コントローラ３０２への電源供給が必要である。すなわち、スイッチ装置システム、およびスイッチ装置システムを備えたスイッチ装置機器にＡＣ商用電源が供給されていると共に、スイッチのＡＣ接点がＯＮしていることが必要である。この状態となった時点で、図５のフローチャートはスタートする。最初に、コントローラ３０２は、現在の状態が、この初期状態（プログラムスタート時の状態）であるか否かを確認する（ステップＳ０１）。初期状態であると確認した場合（ステップＳ０１：Ｙｅｓ）は、コントローラ３０２は、信号スイッチ（４）の開閉状態を検知する（ステップＳ０２）。この初期状態での信号スイッチ（４）の開閉状態を確認することによって、スイッチ装置システム、およびスイッチ装置システムを備えたスイッチ装置機器のスイッチが異常状態か否かを確かめる。
【００６７】
信号スイッチ（４）が開（ＯＦＦ）状態であると検知した場合は（ステップＳ０２：ＯＦＦ）、初期状態にてスイッチ接点がＯＮであるにもかかわらずスイッチがＯＦＦ操作されている状態であるので異常状態である。この場合は、コントローラ３０２は、スイッチ装置システム、およびスイッチ装置システムを備えたスイッチ装置機器のスイッチが異常状態であることを認識する（ステップＳ０３）。次に、コントローラ３０２は、スイッチ装置システム、およびスイッチ装置システムを備えたスイッチ装置機器の使用者に異常状態を通知する処理を開始する（ステップＳ０４）。
【００６８】
さらに、コントローラ３０２は、同使用者にスイッチをＯＮ操作する指示を出す処理を開始する（ステップＳ０５）。これらの処理を実行したら、初期状態の確認処理は終了するので、コントローラ３０２は、コントローラ３０２での初期状態の認識を解除して処理を終了する（ステップＳ０６）。言うまでも無いが、コントローラ３０２のプログラムスタート時には、コントローラ３０２は、初期状態と認識している。
【００６９】
コントローラ３０２は、例えば、異常状態であること示す情報を表示装置（図示せず）に表示することにより、異常状態であることを使用者に通知する。また、コントローラ３０２は、スイッチをＯＮ操作する指示を表すメッセージなどの情報を表示装置に表示することにより、スイッチのＯＮ操作を使用者に指示する。通知方法はこれに限られるものではなく、使用者に異常状態であること、および、スイッチをＯＮ操作することを通知できる方法であればあらゆる方法を適用できる。例えばスピーカ（図示せず）等の音声出力装置に音を出力することにより通知してもよい。
【００７０】
一方、ステップＳ０２で信号スイッチ（４）が閉（ＯＮ）状態であると検知した場合は（ステップＳ０２：ＯＮ）、初期状態にてスイッチ接点がＯＮであってスイッチもＯＮ操作されている状態であるので正常状態である。このことを認識したら、コントローラ３０２は、コントローラ３０２での初期状態の認識を解除して処理を終了する（ステップＳ０６）。
【００７１】
以上の処理を実行した後に、次回の本フローチャートの処理を実行する場合は、ステップＳ０６にて、コントローラ３０２での初期状態の認識が解除されているので、初期状態であるか否かの確認（ステップＳ０１）では今後、初期状態でないと判断して、これ以降は、図４で示したステップＳ１１以降の処理（ステップＳ１１〜ステップＳ１８）を実行する。
【００７２】
このように本実施の形態では、実施の形態１で示した効果に加えて、スイッチ装置システム、およびスイッチ装置システムを備えたスイッチ装置機器のスイッチが異常状態である場合に、確実に使用者に異常であることを知らせて、スイッチのＯＮ操作指示を出して正常状態に復帰させることができる。
【００７３】
（実施の形態３）
実施の形態１のようなスイッチ装置では、前述した異常状態から正常状態に復帰する際に、スイッチ装置システム、およびスイッチ装置システムを備えたスイッチ装置機器では、ＡＣ商用電源が供給されるやいなや、動作を再開した後に自動的にシャットダウン処理が実行されて、スイッチのＡＣ接点がＯＦＦにされる。したがって、ＡＣ商用電源が供給されてからの一連の動作は、スイッチ装置システム、およびスイッチ装置システムを備えたスイッチ装置機器の使用者から見たら特異な現象であり、なぜこのような動作が実行されているのか理解ができないので問題となる。また、動作自体は短時間で気にならない場合でも、スイッチのＡＣ接点がＯＦＦにされる際に発生する音については、使用者に違和感を与えるものである。
【００７４】
また、実施の形態２では、このような問題を解決する方法を示し、スイッチ装置システム、およびスイッチ装置システムを備えたスイッチ装置機器のスイッチが異常状態である場合に、確実に使用者に異常であることを知らせて、スイッチのＯＮ操作指示を出して正常状態に復帰させることができることを示した。
【００７５】
しかしながら、スイッチ装置システム、およびスイッチ装置システムを備えたスイッチ装置機器の使用者が同システムや機器のそばに居ない場合は異常状態をすぐに知らせることができないし、使用者が確認するまでの間、無駄な電力や動作を必要としてしまう。
【００７６】
そこで、これら問題を解決するために、実施の形態３は、図４に示したフローチャートを図６の実施の形態３のコントローラ３０２による制御処理の手順を示すフローチャートに変形したものである。
【００７７】
まず、コントローラ３０２に記憶されているプログラムがスタートして図６のフローチャートが実行されるには、コントローラ３０２への電源供給が必要である。すなわち、スイッチ装置システム、およびスイッチ装置システムを備えたスイッチ装置機器にＡＣ商用電源が供給されていると共に、スイッチのＡＣ接点がＯＮしていることが必要である。この状態となった時点で、図６のフローチャートはスタートする。最初に、コントローラ３０２は、現在の状態が、この初期状態（プログラムスタート時の状態）であるか否かを確認する（ステップＳ０１）。初期状態であると確認した場合（ステップＳ０１：Ｙｅｓ）は、コントローラ３０２は、信号スイッチ（４）の開閉状態を検知する（ステップＳ０２）。この初期状態での信号スイッチ（４）の開閉状態を確認することによって、スイッチ装置システム、およびスイッチ装置システムを備えたスイッチ装置機器のスイッチが異常状態か否かを確かめる。信号スイッチ（４）が開（ＯＦＦ）状態であると検知した場合は（ステップＳ０２：ＯＦＦ）、初期状態にてスイッチ接点がＯＮであるにもかかわらずスイッチがＯＦＦ操作されている状態であるので異常状態である。この場合は何も実行しないで、処理を終了する。
【００７８】
この処理の後に、次回の本フローチャートの処理を実行する場合は、まだコントローラ３０２での初期状態の認識が解除されていないので、最初にコントローラ３０２で初期状態であるか否かを確認するステップＳ０１の処理を再度実行する。
【００７９】
一方、ステップＳ０２で信号スイッチ（４）が閉（ＯＮ）状態であると検知した場合は（ステップＳ０２：ＯＮ）、初期状態にてスイッチ接点がＯＮであってスイッチもＯＮ操作されている状態であるので正常状態である。このことを認識したら、コントローラ３０２は、コントローラ３０２での初期状態の認識を解除して処理を終了する（ステップＳ０７）。この処理の後に、次回の本フローチャートの処理を実行する場合は、ステップＳ０７にて、コントローラ３０２での初期状態の認識が解除されているので、初期状態であるか否かの確認（ステップＳ０１）では今後、初期状態でないと判断して、これ以降は、図４で示したステップＳ１１以降の処理（ステップＳ１１〜ステップＳ１８）を実行する。
【００８０】
このように、本実施の形態では、スイッチがＯＮ操作されるまでは、異常状態として何も実行しないで待機状態として待ち続ける。この時、無駄な動作や表示等は実施しない。この間は、初期状態の認識を解除しないで、スイッチがＯＮ操作されるまでこの状態を持続する。
【００８１】
このように本実施の形態では、実施の形態１で示した効果に加えて、スイッチ装置システム、およびスイッチ装置システムを備えたスイッチ装置機器のスイッチが異常状態である場合は無駄な動作や表示を行わずに無駄電力の消費も防止できて、スイッチのＯＮ操作がされたことを検知した後に正常状態に復帰させることができる。
【００８２】
以上、各実施の形態について説明したが、本発明はこれらの形態に限定されるものではない。
【００８３】
なお、図１および２で示された各構成部品の位置関係や方向や大きさ等についても種々の変形が可能である。また、各実施の形態で示した図は本発明の本質を説明するためのものであって、本発明の範囲外のスイッチの詳細部分等の図示や説明は省略してある。例えば、スイッチ接点の接触状態を確実なものにするために、スイッチ操作部１の下部とスイッチ接点レバ２１や２２や３との間にバネを設ける等の構成がスイッチとして必要なことはいうまでも無い。
【００８４】
また、上記実施の形態では、第１の電気接点としては、ＡＣ入力３０６のＯＮ／ＯＦＦを例として説明したが、これに限定されるものではない。例えば、上記実施の形態１〜６のスイッチ装置、スイッチ装置と外部ユニット（５ＶＥ電源３０１、コントローラ３０２など）とからなるスイッチ装置システムを、バッテリ搭載機器の自動車や輸送機器、画像形成装置、電気機器、工作機械、医療機器等へ適用することも可能である。また、スイッチ内部でのＡＣ／ＤＣや使用電圧の差によって、安全上や機能上必要な空間距離や沿面距離を確保することが必要になる。
【００８５】
なお、上記本実施の形態のスイッチ装置システムで実行される制御プログラムは、ＲＯＭ等に予め組み込まれて提供される。
【００８６】
本実施の形態のスイッチ装置システムで実行される制御プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録してコンピュータ・プログラム・プロダクトとして提供するように構成してもよい。
【００８７】
さらに、本実施の形態のスイッチ装置システムで実行される制御プログラムを、インターネット等のネットワークに接続されたコンピュータ上に格納し、ネットワーク経由でダウンロードさせることにより提供するように構成しても良い。また、本実施の形態のスイッチ装置システムで実行される制御プログラムをインターネット等のネットワーク経由で提供または配布するように構成しても良い。
【００８８】
本実施の形態のスイッチ装置システムで実行される制御プログラムは、上述した制御部（コントローラ）の機能を含むモジュール構成となっており、実際のハードウェアとしてはＣＰＵ（プロセッサ）が上記ＲＯＭから制御プログラムを読み出して実行することにより上記制御部が主記憶装置上にロードされ、制御部が主記憶装置上に生成されるようになっている。
【００８９】
（構成例１）
スイッチ装置を備えるスイッチ装置システムであって、
前記スイッチ装置は、
ＯＮまたはＯＦＦ操作されるスイッチ操作部と、
前記スイッチ操作部がＯＮ側にあるか、ＯＦＦ側にあるかを検知する検知部と、
前記スイッチ操作部をＯＦＦからＯＮに操作するのと同時に、１回路以上の第１の電気接点をＯＮ状態に形成する第１機構と、
前記スイッチ操作部を、ＯＮからＯＦＦに操作すると、前記スイッチ操作部はＯＦＦ側になる一方、１回路以上の前記第１の電気接点はＯＮ状態を維持し、前記第１の電気接点のＯＮからＯＦＦへの変更は、電気信号のＯＦＦ→ＯＮ→ＯＦＦによって行う第２機構と、を備え、
制御開始時に、前記第１の電気接点がＯＮ状態であること、および、前記スイッチ操作部がＯＦＦ側にあることを検知した場合は、異常状態であることを使用者に通知する第１の手段を備えること、
を特徴とするスイッチ装置システム。
（構成例２）
前記第１の手段は、異常状態であること示す音を出力することにより、異常状態であることを使用者に通知すること、
を特徴とする構成例１に記載のスイッチ装置システム。
（構成例３）
前記スイッチ操作部をＯＮ側にして正常状態に戻す指示を使用者に通知する第２の手段をさらに備えること、
を特徴とする構成例１に記載のスイッチ装置システム。
【符号の説明】
【００９０】
１  スイッチ操作部
１ａ  支点
１ｂ  下部
２１、２２  第１のスイッチ接点レバ
２１ａ、２２ａ  第１のスイッチの接点レバ導体
２１ｂ、２２ｂ  第１のスイッチの接点レバ動作時常時接触導体
２１ｃ  第１のスイッチの接点レバ側接点
２１ｄ、２２ｄ  第１のスイッチの端子側接点
２１ｅ、２２ｅ  第１のスイッチの接点レバ動作時常時接触導体側の端子
２１ｆ、２２ｆ  第１のスイッチのＯＮ−ＯＦＦ接点側の端子
３  第２のスイッチ接点レバ
３ｅ  第２のスイッチの接点レバ動作時常時接触導体側の端子
３ｆ  第２のスイッチのＯＮ−ＯＦＦ接点側の端子
４ａ  スイッチ接点レバＯＮ→ＯＦＦ可動用鉄心
４ｂ  スイッチ接点レバＯＮ→ＯＦＦ可動用電磁石コイル
１０  スイッチ本体部
２９  スイッチ接点レバＯＮ→ＯＦＦ可動用鉄板
３０１  ５ＶＥ電源
３０２  コントローラ
３０３  複合メインスイッチ
３０４  ＡＣＳＤスイッチ
３０６  ＡＣ入力
【先行技術文献】
【特許文献】
【００９１】
【特許文献１】特開２００２−８４９０号公報
【特許文献２】特開２００２−１５９１４３号公報
【図１】
0005724594.tif 000002
【図２】
0005724594.tif 000003
【図３】
0005724594.tif 000004
【図４】
0005724594.tif 000005
【図５】
0005724594.tif 000006
【図６】
0005724594.tif 000007